(57)【要約】      （修正有）【課題】素材に穴空けを左右前後に、ぶれないで正確に垂直に穴を開けられるドリル研磨機装置であり、ハンドドリル機及び垂直ドリル機で素材に穴を空け、素材にドリルで穴を空ける時点で、仕上げ研摩の精度を高めて穴の内壁を仕上げ研磨するドリル研磨機装置を提供する。【解決手段】ハンドドリル機で定位置に穴開けをする場合に、ハンドドリル機に水平垂直板２Ａを付加して、作業者が穴空けを実施する場合、素材に穴空けの基点となる定位置に、左右前後に、ぶれることなく正確に垂直の穴空けができ、素材にドリル部分１で穴を空ける時点で、更に、仕上げ研摩の精度を向上し、穴の内壁を仕上げ研磨する。先端のドリル部分１・荒仕上げ研摩部分１Ａ・仕上げ研摩部分１Ｂの三種類の機能で穴空けと同時に、穴内壁を仕上げ研摩することができる。【選択図】図１
2020168851.tif 000002
【特許請求の範囲】
【請求項１】
ダイヤモンドを１０度とするモースの硬度９度以下の鉱石・樹木・合成樹脂・非鉄金属・陶器・コンクリートなどの素材に穴を空けると同時に穴の内部壁をｍｍ単位の段差により、荒仕上げ研磨及び仕上げ研磨する三種類の機能を有し、穴内壁に、先端のドリルが接触しないための水平垂直板を付加することで、素材の諸点に正確に穴空け研磨するドリル研磨機装置。
【発明の詳細な説明】
【技術分野】
【０００１】  この発明は、鉱石・樹木・合成樹脂・非鉄金属・コンクリート・陶器などに、ハンドドリルが定めた諸点に作業者の判断で、穴を空けるものであるが、ハンドドリルに水平垂直板を有し、作業者が定めた基点を垂直で正確に、穴を空けると同時に穴の内壁を、荒仕上げ研磨及び仕上げ研磨を実施し、水平垂直板を有するために先端のドリル部分が、穴の内壁に接触することなく、引き抜くことができるドリル研磨機装置に関する。
【背景技術】
【０００２】  ハンドドリルに水平垂直板図１−２Ｈ−２Ａに示すように、穴を空ける定めた基点を作業者が垂直で正確に、穴を空けるのに使用する。【０００３】  ドリル部分の１に示すにように、穴を空けると同時に穴の内壁を、１Ａで荒仕上げ研磨及び１Ｂで仕上げ研磨するために使用する。【０００４】  先端のドリル部分が、穴の内壁に接触するのを防止する図１−２Ｈ−２Ａの水平垂直板により、穴の内壁に接触することなく、引き抜くのに使用する。【０００５】  □型の水平垂直板図１−２Ｈ−２Ａを穴空る素材の平面状の基点に、作業者が合わせて穴空けを実施すると□型の水平垂直板が、□型の２に示すように２Ｃのスプリングが収縮して、□型の水平垂直板図１−２Ｈ−２Ａは、□型の２に収納される。且つ、穴空けを終了すると２Ｃに示すように、２Ｃのスプリングが伸びて図１に示すように、穴空け以前の状態に戻る。【０００６】  ドリル研磨機の本体３Ｈが、２Ｈ−２Ａの水平垂直板の横で、凹型２個に分割するために、水平垂直板の交換を容易にして使用する。【０００７】  ドリル研磨機は、穴を空け穴の内壁を１Ａの荒仕上げ研摩１Ｂの仕上げ研磨するための素材の硬度により、ドリル研磨棒１−１Ａ−１Ｂに示すように、ドリル研磨棒の原料を、鋼鉄・工業用ダイヤモンド・工業用コランダム系鉱石・不透明電気石・錫・鉛合金等の選択をして使用する。【０００８】  ドリル研磨機は、作業者の視点で２Ｈ−２Ａの水平垂直板を上下に向きを変えて平面素材の穴あけに使用できる。
【先行技術文献】
【０００９】
【特許文献】
【特許文献】特開２００７−２６０８３３（Ｐ２００７−２６０８３３Ａ）
【発明の概要】
【発明が解決しようとする課題】
【００１０】  ハンドドリル機で素材の定位置に穴開けをする場合に作業者の判断により穴開けをしているが、穴空けの基点がぶれないために作業者は、注意が必要であるが、作業者が、素材に穴空けを左右前後に、ぶれないで正確に垂直に穴を開けられるドリル機装置の開発が課題。【００１１】  ハンドドリル機及び垂直ドリル機で素材に穴を空け、更にドリル先端に面取り機能を有するドリルは、公知であるが、素材にドリルで穴を空ける時点で、更に、仕上げ研摩の精度を高めて穴の内壁を仕上げ研磨するドリル研磨機装置の開発が課題。
【課題を解決するための手段】
【００１２】  ハンドドリル機で素材の定位置に穴開けをする場合に、作業者の判断力に因らず、ハンドドリル機に水平垂直板を付加して、作業者が穴空けを実施する場合、素材に穴空けの基点となる定位置に、左右前後に、ぶれることなく正確に垂直の穴空けができる。【００１３】  素材にドリルで穴を空ける時点で、更に、仕上げ研摩の精度を高めて穴の内壁を仕上げ研磨する。先端のドリル・中間に荒仕上げ研摩・後に仕上げ研摩の三種類の機能を有すると、穴空けと同時に、穴内壁を仕上げ研摩することができる。【００１４】  素材にドリルで穴を空けるための三種類の機能を有するドリル研磨機は、穴を空けの後、穴の内壁に先端のドリル部分が接触することが想定されるために、水平垂直板をドリル研磨機に付加することで、穴の内壁に接触しないでドリル研磨機を抜き取ることができる。穴空けと仕上げ研摩が同時に実施できる。【００１５】  穴を空ける素材に□型水平板のドリル研磨棒のための開口部がドリル研磨棒の大小に関わらず拡大しているためサイズに適合し、素材平面の大小に関わらず□型水平板が適合する。【００１６】  ドリル研磨機は、作業者の視点で上下に向きを変えて使用できる。【００１７】  ドリル研磨機の本体が、水平垂直板の横で、凹型２個に分割するため、水平垂直板等の交換が容易である。【００１８】  ドリル研磨機は、穴を空け穴の内壁を仕上げ研磨する素材の硬度により、ドリル研磨棒の原料を、鋼鉄・工業用ダイヤモンド、モースの硬度１０度・工業用コランダム系モースの硬度９度・電気石モースの硬度７．２５度・錫・鉛合金等を選択して使用する。【００１９】  ドリル研磨棒を産業用の垂直ドリル機の替え刃としても使用できる。
【発明を実施するための最良の形態】
【００２０】  次に、この発明を実施する形態を添付図面に基づき詳細に説明する。図１は、この発明のドリル研磨機装置の断面図である。ドリル研磨機装置の１は、素材に穴を空ける先端のドリル部分である。１Ａは、穴の内壁を荒仕上げ研摩する部分である。１Ｂは、穴の内壁を仕上げ研摩する部分である。１Ｄは、１−１Ａ−１Ｂの主軸を本体の３Ｈに３の取付と外す、部品の受け主軸である。３Ａ−３Ｂ−３Ｃは、３Ｄの電動モーターの接続図である。【００２１】  先端の図１−図３−図５の１は、ドリルで、図１−図３−図５の１Ａの荒仕上げ研摩部分とｍｍの段差があり、１Ａと図１−図３−図５の１Ｂは、仕上げ研摩部分と、更にｍｍの段差がある。故に穴のサイズは、１Ｂのサイズとなる。【００２２】  次に図１−図３−図５の１−１Ａ−１Ｂ−１Ｄに示すように、ドリル研磨機の換え刃である。【００２３】  水平垂直板の構成を添付図面に基づき詳細に説明する。図１−図２の２−２Ｂは、□型の垂直板の収納□筒を示す。２Ｃは、垂直板の収納□筒のスプリングであり、２Ａの□型の垂直軸を伸縮する。２Ｅは、垂直板の収納□筒のストッパーである。２Ｄは、２Ａの□型の垂直軸のストッパーである。水平板の構成は、図１−図４の２Ｈ−２Ｉに示す。垂直板の構成は、図１に示すように２Ａ−２Ｂ−２Ｃ−２Ｄ−２Ｅ−２Ｆ−２Ｇに基づき構成する。【００２４】  ドリル研磨機装置の本体は、３Ｈが本体であり、水平垂直板の横側で凹型２個に分割して３Ｉのネジで、組み立てる。従って水平垂直板等の部品交換が容易である。３Ｈの本体は、３Ｄの電動モーター３Ｅの電動モーターと３Ｈ本体との取付板であり、３Ｆのネジで取り付ける。３Ｊは、電気コード及び電気スイッチである。
【発明の効果】
【００２５】  本発明においては、以上説明したように、ハンド式のドリル研磨機装置に、水平垂直板を付加するため、穴を空ける平面素材に必要な基点に、左右前後に、ぶれることなく正確に垂直な穴を空けることができる。
【００２６】  以上説明したように、ドリル研磨の３機能をｍｍ単位の段差により、素材に穴空けをすると同時に荒仕上げ研摩と仕上げ研摩を穴の内壁に、ドリル部分が接触しないで、精度を向上させて穴を空けることができる。
【００２７】  本発明においては、ドリル研磨に３機能を有するドリル研磨の換え刃を産業用の垂直ドリルに兼用して使用することができる。
【図面の簡単な説明】
【００２８】
【図１】本発明に関わるドリル研磨機装置の断面図
【図２】□型垂直板及び□型受け軸の接続部分の断面図
【図３】ドリル研磨棒の断面図
【図４】水平板の正面図
【図５】ドリル研磨棒の正面図
【符号の説明】
【００２９】１    ドリル部分
１Ａ  荒仕上げ研磨部分
１Ｂ  仕上げ研磨部分
１Ｃ  ドリル研磨主軸
１Ｄ  ドリル研磨軸取付取り外し締め軸
１Ｅ  ドリル先端
２    □型スプリングカバー
２Ａ  □型垂直板
２Ｂ  □型スプリングカバー止め底
２Ｃ  スプリング
２Ｄ  □型垂直板止め底
２Ｅ  □型垂直板ストッパー
２Ｆ  □型垂直空洞板
２Ｇ  水平板垂直□板補強部分
３    ドリル研磨軸締め開閉金具
３Ａ  ドリル研磨軸締め開閉金具接続軸
３Ｂ  ドリル研磨軸締め開閉金具接続軸とモーター軸接続金具
３Ｃ  モーター主軸
３Ｄ  電動モーター
３Ｅ  電動モーター固定板
３Ｆ  電動モーター固定板止めネジ
３Ｇ  ドリル研磨機の持ち手部分の空白
３Ｈ  ドリル研磨機を垂直板の横側で２分割して組み立てる本体断面図
３Ｉ  本体組立のネジ
３Ｊ  電気コード及び電源スイッチ
【図１】
2020168851.tif 000003
【図２】
2020168851.tif 000004
【図３】
2020168851.tif 000005
【図４】
2020168851.tif 000006
【図５】
2020168851.tif 000007